(57)【要約】【課題】自身にアレルギーを引き起こす原因となるアレルギー物質が食品に含まれているかを確実に知ることができるようにする。【解決手段】サーバにて、個々のユーザにアレルギーを引き起こす原因となるアレルギー物質の情報を、個々のユーザのメールアドレスと紐付けて保管し、端末にて、食品に付いているＱＲコードを読み取って、その食品に含まれるアレルギー物質の情報を、ユーザのメールアドレスと一緒にメールでサーバに送信し、サーバにて、その食品に含まれるアレルギー物質の情報と、そのユーザにアレルギーを引き起こす原因となるアレルギー物質の情報とを比較して、その食品に、そのユーザにアレルギーを引き起こす原因となるアレルギー物質が含まれているかの検査を行い、この検査結果をメールで端末に送信して、端末にて、この検査結果を受信・閲覧する。【選択図】なし【特許請求の範囲】
【請求項１】
端末とサーバとを備え、これら端末とサーバとがネットワークに接続されるシステムであって、
前記端末は、
食品に付いているＱＲコードであって、その食品に含まれるアレルギー物質の情報が埋め込まれたものを読み取って、その食品に含まれるアレルギー物質の情報を、ユーザのメールアドレスと一緒にメールでサーバに送信する手段と、
その食品に、そのユーザにアレルギーを引き起こす原因となるアレルギー物質が含まれているかの検査結果のメールをサーバから受信して閲覧する手段とを有し、
前記サーバは、
個々のユーザにアレルギーを引き起こす原因となるアレルギー物質の情報を、個々のユーザのメールアドレスと紐付けて保管する手段と、
食品に含まれるアレルギー物質の情報を、ユーザのメールアドレスと一緒に端末からメールで受信し、そのユーザのメールアドレスに紐付いた、そのユーザにアレルギーを引き起こす原因となるアレルギー物質の情報と、その食品に含まれるアレルギー物質の情報とを比較して、その食品に、そのユーザにアレルギーを引き起こす原因となるアレルギー物質が含まれているかの検査を行い、この検査結果をメールで端末に送信する手段とを有することを特徴とするアレルギー物質検査システム。
【請求項２】
ＱＲコードが付いている食品であって、
前記ＱＲコードは、その食品に含まれるアレルギー物質の情報が埋め込まれたものであることを特徴とする食品。
【請求項３】
サーバが接続されているネットーワークに接続される端末であって、
食品に付いているＱＲコードであって、その食品に含まれるアレルギー物質の情報が埋め込まれたものを読み取って、その食品に含まれるアレルギー物質の情報を、ユーザのメールアドレスと一緒にメールでサーバに送信する手段と、
その食品に、そのユーザにアレルギーを引き起こす原因となるアレルギー物質が含まれているかの検査結果のメールをサーバから受信して閲覧する手段とを有することを特徴とする端末。
【請求項４】
端末が接続されるネットワークに接続されているサーバであって、
個々のユーザにアレルギーを引き起こす原因となるアレルギー物質の情報を、個々のユーザのメールアドレスと紐付けて保管する手段と、
食品に含まれるアレルギー物質の情報を、ユーザのメールアドレスと一緒に端末からメールで受信し、そのユーザのメールアドレスに紐付いた、そのユーザにアレルギーを引き起こす原因となるアレルギー物質の情報と、その食品に含まれるアレルギー物質の情報とを比較して、その食品に、そのユーザにアレルギーを引き起こす原因となるアレルギー物質が含まれているかの検査を行い、この検査結果をメールで端末に送信する手段とを有することを特徴とするサーバ。
【請求項５】
端末とサーバとを備え、これら端末とサーバとがネットワークに接続されるシステムで実行される方法であって、
サーバにて、個々のユーザにアレルギーを引き起こす原因となるアレルギー物質の情報を、個々のユーザのメールアドレスと紐付けて保管する工程と、
端末にて、食品に付いているＱＲコードであって、その食品に含まれるアレルギー物質の情報が埋め込まれたものを読み取って、その食品に含まれるアレルギー物質の情報を、ユーザのメールアドレスと一緒にメールでサーバに送信する工程と、
サーバにて、食品に含まれるアレルギー物質の情報を、ユーザのメールアドレスと一緒
に端末からメールで受信し、そのユーザのメールアドレスに紐付いた、そのユーザにアレルギーを引き起こす原因となるアレルギー物質の情報と、その食品に含まれるアレルギー物質の情報とを比較して、その食品に、そのユーザにアレルギーを引き起こす原因となるアレルギー物質が含まれているかの検査を行い、この検査結果をメールで端末に送信する工程と、
端末にて、検査結果のメールをサーバから受信して閲覧する工程とを含むことを特徴とするアレルギー物質検査方法。
【発明の詳細な説明】
【技術分野】
【０００１】
本発明は、個々人が自身にアレルギーを引き起こす原因となるアレルギー物質が食品に含まれているかを知るための技術に関する。
【背景技術】
【０００２】
一般に、自身にアレルギーを引き起こす原因となるアレルギー物質が食品に含まれているかを知るには、その食品に印刷された文字による原材料情報を目で見て確認する必要があり、見落とす可能性も高かったし、お年寄りなどは、字が小さく読めないこともあった。
【０００３】
また食品の大きさによっては、ＱＲコードの印刷は可能だが、文字だと十分な原材料情報を印刷するためのスペースが無い場合もある。
【発明の開示】
【発明が解決しようとする課題】
【０００４】
本発明は斯かる背景技術に鑑みてなされたもので、自身にアレルギーを引き起こす原因となるアレルギー物質が食品に含まれているかを確実に知ることができるようにすることを課題とする。
【課題を解決するための手段】
【０００５】
本発明において上記課題を達成するために、まず請求項１の発明では、端末とサーバとを備え、これら端末とサーバとがネットワークに接続されるシステムであって、
前記端末は、
食品に付いているＱＲコードであって、その食品に含まれるアレルギー物質の情報が埋め込まれたものを読み取って、その食品に含まれるアレルギー物質の情報を、ユーザのメールアドレスと一緒にメールでサーバに送信する手段と、
その食品に、そのユーザにアレルギーを引き起こす原因となるアレルギー物質が含まれているかの検査結果のメールをサーバから受信して閲覧する手段とを有し、
前記サーバは、
個々のユーザにアレルギーを引き起こす原因となるアレルギー物質の情報を、個々のユーザのメールアドレスと紐付けて保管する手段と、
食品に含まれるアレルギー物質の情報を、ユーザのメールアドレスと一緒に端末からメールで受信し、そのユーザのメールアドレスに紐付いた、そのユーザにアレルギーを引き起こす原因となるアレルギー物質の情報と、その食品に含まれるアレルギー物質の情報とを比較して、その食品に、そのユーザにアレルギーを引き起こす原因となるアレルギー物質が含まれているかの検査を行い、この検査結果をメールで端末に送信する手段とを有することを特徴とするアレルギー物質検査システムとしたものである。
【０００６】
また請求項２の発明では、ＱＲコードが付いている食品であって、
前記ＱＲコードは、その食品に含まれるアレルギー物質の情報が埋め込まれたものであることを特徴とする食品としたものである。
【０００７】
また請求項３の発明では、サーバが接続されているネットーワークに接続される端末であって、
食品に付いているＱＲコードであって、その食品に含まれるアレルギー物質の情報が埋め込まれたものを読み取って、その食品に含まれるアレルギー物質の情報を、ユーザのメ
ールアドレスと一緒にメールでサーバに送信する手段と、
その食品に、そのユーザにアレルギーを引き起こす原因となるアレルギー物質が含まれているかの検査結果のメールをサーバから受信して閲覧する手段とを有することを特徴とする端末としたものである。
【０００８】
また請求項４の発明では、端末が接続されるネットワークに接続されているサーバであって、
個々のユーザにアレルギーを引き起こす原因となるアレルギー物質の情報を、個々のユーザのメールアドレスと紐付けて保管する手段と、
食品に含まれるアレルギー物質の情報を、ユーザのメールアドレスと一緒に端末からメールで受信し、そのユーザのメールアドレスに紐付いた、そのユーザにアレルギーを引き起こす原因となるアレルギー物質の情報と、その食品に含まれるアレルギー物質の情報とを比較して、その食品に、そのユーザにアレルギーを引き起こす原因となるアレルギー物質が含まれているかの検査を行い、この検査結果をメールで端末に送信する手段とを有することを特徴とするサーバとしたものである。
【０００９】
また請求項５の発明では、端末とサーバとを備え、これら端末とサーバとがネットワークに接続されるシステムで実行される方法であって、
サーバにて、個々のユーザにアレルギーを引き起こす原因となるアレルギー物質の情報を、個々のユーザのメールアドレスと紐付けて保管する工程と、
端末にて、食品に付いているＱＲコードであって、その食品に含まれるアレルギー物質の情報が埋め込まれたものを読み取って、その食品に含まれるアレルギー物質の情報を、ユーザのメールアドレスと一緒にメールでサーバに送信する工程と、
サーバにて、食品に含まれるアレルギー物質の情報を、ユーザのメールアドレスと一緒に端末からメールで受信し、そのユーザのメールアドレスに紐付いた、そのユーザにアレルギーを引き起こす原因となるアレルギー物質の情報と、その食品に含まれるアレルギー物質の情報とを比較して、その食品に、そのユーザにアレルギーを引き起こす原因となるアレルギー物質が含まれているかの検査を行い、この検査結果をメールで端末に送信する工程と、
端末にて、検査結果のメールをサーバから受信して閲覧する工程とを含むことを特徴とするアレルギー物質検査方法としたものである。
【発明の効果】
【００１０】
一般に、文字では十分な情報を印刷できないスペースであってもＱＲコードなら印刷でき、しかも、本発明では、端末にて、食品に付いているＱＲコードを読み取って、その食品に含まれるアレルギー物質の情報を、ユーザのメールアドレスと一緒にメールでサーバに送信すると、サーバにて、その食品に含まれるアレルギー物質の情報と、そのユーザにアレルギーを引き起こす原因となるアレルギー物質の情報とが比較され、その食品に、そのユーザにアレルギーを引き起こす原因となるアレルギー物質が含まれているかの検査が行われ、この検査結果がメールで端末に送信されて、端末にて、この検査結果を受信・閲覧できるので、本発明は、自身にアレルギーを引き起こす原因となるアレルギー物質が食品に含まれているかを確実に知ることができるという効果がある。
【発明を実施するための最良の形態】
【００１１】
以下に、本発明の最良の一実施形態を説明する。
【００１２】
本実施形態に係るシステムは、図１に示すように、端末とサーバとを備え、これら端末とサーバとがネットワークに接続されるものである。
【００１３】
ネットワークは、例えば、インターネット、電話網など、より多くの人が利用可能なも
のであれば良い。
【００１４】
サーバは、図１に示すように、アレルギーマスターＤＢと、ユーザ別原因アレルギーＤＢとを有する。ここで、ＤＢは、データベースの略称である。
【００１５】
アレルギーマスターＤＢは、個々のアレルギー物質の情報を保管するデータベースであって、図２に示すように、項目として、「アレルギーコード」、「アレルギー名」がある。項目「アレルギーコード」の値は、アレルギー物質を唯一に識別するコードである。項目「アレルギー名」の値は、このアレルギー物質の名前である。
【００１６】
ユーザ別原因アレルギーＤＢは、個々のユーザにアレルギーを引き起こす原因となるアレルギー物質の情報を、個々のユーザのメールアドレスと紐付けて保管するデータベースであって、図３に示すように、項目として、「メールアドレス」、「アレルギーコード」がある。項目「メールアドレス」の値は、ユーザのメールアドレスである。項目「アレルギーコード」は、このユーザにアレルギーを引き起こす原因となるアレルギー物質のアレルギーコードである。
【００１７】
食品には、図４に示すように、その表面にＱＲコードを付ける。このＱＲコードには、その食品に含まれるアレルギー物質のアレルギーコードと、サーバ専用のメールアドレスとが埋め込まれている。例えば、図４に示すＱＲコードには、メールアドレスとして、ｓｙｓｔｅｍ＠ｃｈｅｃｋ．ｎｅ．ｊｐが、アレルギーコードとして、０００００１、０００００８、００００１７、０００１０３、…が埋め込まれている。
【００１８】
食品の表面にＱＲコードを付ける方法には、例えば、この食品のパッケージに、このＱＲコードを印刷することや、このＱＲコードが印刷されているラベルを貼り付けることなどがある。
【００１９】
端末は、ＱＲコードを読み取るＱＲコードリーダと、Ｗｅｂブラウザと、メールソフトウェアとを有する。また端末は、これを利用するユーザのメールアドレスを記憶する機能を有する。このような端末には、ＱＲコードリーダ付携帯電話機がある。
【００２０】
サーバは、図５に示すような、ユーザが、自身にアレルギーを引き起こす原因となるアレルギー物質の情報を、このユーザのメールアドレスに紐付けて、ユーザ別アレルギーＤＢに登録するためのＷｅｂページ（以後、登録ページとも云う）を、Ｗｅｂブラウザからの要求に応じて、このＷｅｂブラウザに提供する。
【００２１】
図５に示す登録ページにおいて、領域１０と領域１１とは、それぞれ、ユーザのメールアドレスのメールボックス名とドメイン名とを入力するものである。またボタン１３を押すと、アレルギーマスターＤＢに登録されているアレルギー物質の名前の一覧が表示され、この一覧の中からアレルギー物質の名前を一つ選択すると、選択したアレルギー物質の名前が領域１２に表示される。また追加ボタン１４を押すと、領域１２表示されているアレルギー物質の名前が、領域１５に追加入力される。また登録ボタン１６を押すと、領域１０に入力されたメールボックス名と領域１１に入力されたドメイン名とを持つメールアドレスと、領域１５に名前が入力されたアレルギー物質のアレルギーコードとが、ユーザ別原因アレルギーＤＢに登録される。他方、取消しボタン１７を押すと、領域１０に入力されたメールボックス名、領域１１に入力されたドメイン名、領域１５に入力されたアレルギー物質の名前が、取り消される。
【００２２】
以下に、ユーザが、自身にアレルギーを引き起こす原因となるアレルギー物質の情報を、このユーザのメールアドレスに紐付けて、ユーザ別アレルギー物質ＤＢに登録するために行われる処理の流れの例を、図６のフローチャートに従って説明する。
【００２３】
Ｓ（ＳＴＥＰ）１；
ユーザが、端末のＷｅｂブラウザにて、登録ページの表示を要求すると、端末のＷｅｂブラウザは、サーバに、登録ページの送信を要求する。
【００２４】
Ｓ（ＳＴＥＰ）２；
端末のＷｅｂブラウザからの要求に応じて、サーバは、登録ページを、端末のＷｅｂブラウザに送信する。
【００２５】
Ｓ（ＳＴＥＰ）３；
端末のＷｅｂブラウザは、登録ページを受信して表示する。
【００２６】
Ｓ（ＳＴＥＰ）４；
ユーザは、登録ページにて、ユーザのメールアドレスのメールボックス名とドメイン名を、それぞれ領域１０と領域１１に入力する。またユーザは、登録ページにて、ボタン１３を押して、アレルギー物質マスターＤＢに登録されているアレルギー物質の名前の一覧を表示し、この一覧の中から、自身にアレルギーを引き起こす原因となるアレルギー物質の名前を選択した後に追加ボタン１４を押して領域１５に追加入力することを、自身にアレルギーを引き起こす原因となる全てのアレルギー物質の名前が領域１５に表示されるまで繰り返す。
【００２７】
Ｓ（ＳＴＥＰ）５；
ユーザが、登録ページにて、登録ボタン１６を押すと、端末のＷｅｂブラウザは、領域１０に入力されたメールボックス名と、領域１１に入力されたドメイン名と、領域１５に入力されたアレルギー物質の名前とを、サーバに送信する。
【００２８】
Ｓ（ＳＴＥＰ）６；
サーバは、メールボックス名と、ドメイン名と、アレルギー物質の名前とを受信する。
【００２９】
Ｓ（ＳＴＥＰ）７；
サーバは、名前を受信したアレルギー物質のアレルギーコードを、アレルギーマスターＤＢから検索して読み出す。
【００３０】
Ｓ（ＳＴＥＰ）８；
サーバは、受信したメールボックス名とドメイン名とを持つメールアドレスと、検索して読み出したアレルギーコードとを、ユーザ別原因アレルギーＤＢに登録する。
【００３１】
以下に、ユーザが自身にアレルギーを引き起こす原因となるアレルギー物質が食品に含まれているかを検査するために行われる処理の流れの例を、図７及び８のフローチャートに従って説明する。
【００３２】
Ｓ（ＳＴＥＰ）１；
ユーザは、食品の表面についているＱＲコードを端末で読み込む。
【００３３】
Ｓ（ＳＴＥＰ）２；
端末は、読み込んだＱＲコードから、サーバ専用のメールアドレスと、食品に含まれているアレルギー物質のアレルギーコードとを読み出す。
【００３４】
Ｓ（ＳＴＥＰ）３；
端末は、メールソフトウェアを起動し、図９に示すように、送り主のメールアドレス２０と、宛先２１と、本文２２とに、それぞれ、ユーザのメールアドレスと、サーバ専用のメールアドレスと、食品に含まれているアレルギー物質のアレルギーコードとが入力された状態のメールを送信する画面を表示する。
【００３５】
Ｓ（ＳＴＥＰ）４；
ユーザが、送信ボタン２３を押すと、端末のメールソフトは、送り主のメールアドレス２０と、宛先２１と、本文２２とに、それぞれ、ユーザのメールアドレスと、サーバ専用のメールアドレスと、食品に含まれているアレルギー物質のアレルギーコードとが入力された状態のメールを、宛先２１に入力されたサーバ専用のメールアドレスに送信する。
【００３６】
Ｓ（ＳＴＥＰ）５；
サーバは、送り主のメールアドレス２０と、宛先２１と、本文２２とに、それぞれ、ユーザのメールアドレスと、サーバ専用のメールアドレスと、食品に含まれているアレルギー物質のアレルギーコードとが入力された状態のメールを受信する。
【００３７】
Ｓ（ＳＴＥＰ）６；
サーバは、受信したメールから、ユーザのメールアドレスと、食品に含まれているアレルギー物質のアレルギーコードとを読み出す。
【００３８】
Ｓ（ＳＴＥＰ）７；
サーバは、ユーザのメールアドレスを用いて、このユーザにアレルギーを引き起こす原因となるアレルギー物質のアレルギーコードを、ユーザ別原因アレルギーＤＢから検索して読み出す。
【００３９】
Ｓ（ＳＴＥＰ）８；
サーバは、食品に含まれているアレルギー物質のアレルギーコードと、ユーザにアレルギーを引き起こす原因となるアレルギー物質のアレルギーコードとを比較して、食品に含まれているアレルギー物質のアレルギーコードの中に、ユーザにアレルギーを引き起こす原因となるアレルギー物質のアレルギーコードと一致するものがあるかを確かめ、
一致するものがなければ、ＳＴＥＰ９に進み、
一致するものがあれば、ＳＴＥＰ１０に進む。
【００４０】
Ｓ（ＳＴＥＰ）９；
サーバは、食品には、ユーザにアレルギーを引き起こす原因となるアレルギー物資が含まれてないことを記載した検査結果のメールを作成し、ＳＴＥＰ１２に飛ぶ。
【００４１】
Ｓ（ＳＴＥＰ）１０；
サーバは、食品に含まれているアレルギー物質のアレルギーコードであって、ユーザにアレルギーを引き起こす原因となるアレルギー物質のアレルギーコードと一致するものを用いて、食品に含まれているアレルギー物質であって、ユーザにアレルギーを引き起こす原因となるものの名前を、アレルギーマスターＤＢから検索して読み出す。
【００４２】
Ｓ（ＳＴＥＰ）１１；
サーバは、食品に含まれているアレルギー物質であって、ユーザにアレルギーを引き起こす原因となるものの名前を記載した検査結果のメールを作成する。
【００４３】
図１０に、端末からサーバに送信されるメールが図９に示す内容であり、アレルギーマスターＤＢが図２に示すものであり、かつ、ユーザ別原因アレルギーＤＢが図３に示すものであるときの検査結果のメールの例を示す。
【００４４】
Ｓ（ＳＴＥＰ）１２；
サーバは、ユーザのメールアドレスに、検査結果のメールを送信する。
【００４５】
Ｓ（ＳＴＥＰ）１３；
ユーザは、端末のメールソフトウェアにて、検査結果のメールを受信して閲覧する。
【図面の簡単な説明】
【００４６】
【図１】本実施形態に係るシステムの構成例を示す図。
【図２】アレルギーマスターＤＢの例を示す図。
【図３】ユーザ別原因アレルギーＤＢの例を示す図。
【図４】食品の例を示す図。
【図５】登録ページの例を示す図。
【図６】ユーザが、自身にアレルギーを引き起こす原因となるアレルギー物質の情報を、このユーザのメールアドレスに紐付けて、ユーザ別アレルギー物質ＤＢに登録するために行われる処理の流れの例を示すフローチャート。
【図７】ユーザが自身にアレルギーを引き起こす原因となるアレルギー物質が食品に含まれているかを検査するために行われる処理の流れの例の前半を示すフローチャート。
【図８】ユーザが自身にアレルギーを引き起こす原因となるアレルギー物質が食品に含まれているかを検査するために行われる処理の流れの例の後半を示すフローチャート。
【図９】端末のメールソフトウェアにてメールを送信する画面の例を示す図。
【図１０】検査結果のメールの例を示す図。
【符号の説明】
【００４７】
１０…領域
１１…領域
１２…領域
１３…ボタン
１４…追加ボタン
１５…領域
１６…登録ボタン
１７…取消しボタン
２０…送り主のメールアドレス
２１…宛先
２２…本文
２３…送信ボタン
３０…送り主のメールアドレス
３１…本文
【図１】
2008041033.tif 000002
【図２】
2008041033.tif 000003
【図３】
2008041033.tif 000004
【図４】
2008041033.tif 000005
【図５】
2008041033.tif 000006
【図６】
2008041033.tif 000007
【図７】
2008041033.tif 000008
【図８】
2008041033.tif 000009
【図９】
2008041033.tif 000010
【図１０】
2008041033.tif 000011